(57)【要約】【課題】片手で書類の一端をつまんで折り畳んだり開いたりでき、折畳んだ状態で四角形である折畳み書類を提供する。【解決手段】正方形８の書類本体７の左上から右下への対角線状に１本の山折り線９を形成する。この対角線上の中央より左側に交点１１を有し、正方形８の辺に平行で、互いに十字状に交わる２本の谷折り線１３を形成する。これら２本の谷折り線１３及び正方形８の４つの辺とで形成される大小２つの正方形１５，１６のうち大正方形１５の前記対角線の右端の角部に形成され、大正方形１５と前記角部の２辺を共通にする右端正方形１７を形成する他の２辺として、２本の山折り線１８を形成する。そして、大正方形１５の辺の長さをＡとし、小正方形１６の辺の長さをＢとし、右端正方形１７の辺の長さをＣとし、Ｃ＝Ａ−Ｂの関係を有する寸法とする。【選択図】図１
2010269551.tif 000002
【特許請求の範囲】
【請求項１】
片手で書類の一端をつまんで折り畳んだり開いたりできる折畳み書類であって、
正方形の書類本体と、この書類本体の左上から右下への対角線状に形成される１本の山折り線と、この対角線上の中央より左側に交点を有し、前記正方形の辺に平行で、互いに十字状に交わる２本の谷折り線と、これら２本の谷折り線及び前記正方形の４つの辺とで形成される大小２つの正方形のうち大正方形の前記対角線の右端の角部に形成され、前記大正方形と前記角部の２辺を共通にする右端正方形を形成する他の２辺として形成される２本の山折り線と、を有し、
前記大小２つの正方形のうち大正方形の辺の長さをＡとし、前記小正方形の辺の長さをＢとし、前記右端正方形の辺の長さをＣとし、
Ｃ＝Ａ−Ｂ
の関係を有することを特徴とする折畳み書類。
【請求項２】
片手で書類の一端をつまんで折り畳んだり開いたりできる折畳み書類であって、
正方形の書類本体と、この書類本体の左上から右下への対角線状に形成される１本の山折り線と、この対角線上の中央より左側に交点を有し、前記正方形の辺に平行で、互いに十字状に交わる２本の谷折り線と、これら２本の谷折り線及び前記正方形の４つの辺とで形成される大小２つの正方形のうち大正方形の前記対角線の右端の角部に形成され、前記大正方形と前記角部の２辺を共通にする右端正方形を形成する他の２辺として形成される２本の山折り線と、前記書類本体の前記正方形の前記対角線の左端の角部に形成され、前記正方形と前記角部の２辺を共通にする左端正方形を形成する他の２辺として形成される２本の山折り線と、書類本体の対角線の左端の点、及びこの対角線上の中央よりも右側を頂点とする正方形を想定し、この想定正方形を形成する辺のうち前記大正方形内部に位置する２本の谷折り線と、前記想定正方形を形成する辺のうち前記大正方形外部に位置する２本の山折り線と、を有し、
前記大小２つの正方形のうち大正方形の辺の長さをＡとし、前記小正方形の辺の長さをＢとし、前記右端正方形の辺の長さをＣとし、前記左端正方形の辺の長さをＤとし、
Ｃ＝Ａ−Ｂ
Ｄ＝Ｂ−Ａ／２
の関係を有することを特徴とする折畳み書類。
【発明の詳細な説明】
【技術分野】
【０００１】
この発明は、片手で書類の一端をつまんで折り畳んだり開いたりできる折畳み書類に関する。
【背景技術】
【０００２】
上記の折畳み書類には、例えば特許文献１に開示されるような地図が提案されている。すなわち図７に示すように、複数の折り畳み線が設けられ（同図（Ａ））、畳んだり開いたりでき（同図（Ｂ））、畳んだ状態で小さくなる（同図（Ｃ））地図が提案されている。
【先行技術文献】
【特許文献】
【０００３】
【特許文献１】特開平05-224593
【発明の概要】
【発明が解決しようとする課題】
【０００４】
しかしながら、特許文献１の地図は、図７（Ｃ）のように畳んだ状態で小さくなるものの、畳んだ全体の形が細長い台形状である。ところが、通常の書類は四角形であるので、形状が大きく異なることになり、この畳んだ地図と通常の書類を、自然に重ねた状態で扱いにくく、重ねた状態の見た目も悪い。すなわち、重ねた状態で、細長い台形状の地図が重なる部分と他の部分の間には隙間が空き、各部の厚さが不均一となってしまう。
【０００５】
この発明は、以上の問題点を解決するために、（１）片手で書類の一端をつまんで折り畳んだり開いたりでき、（２）折畳んだ状態で四角形である折畳み書類を提供することを目的とする。
【課題を解決するための手段】
【０００６】
以上の課題を解決するために、第一発明は、片手で書類の一端をつまんで折り畳んだり開いたりできる折畳み書類であって、正方形の書類本体と、この書類本体の左上から右下への対角線状に形成される１本の山折り線と、この対角線上の中央より左側に交点を有し、前記正方形の辺に平行で、互いに十字状に交わる２本の谷折り線と、これら２本の谷折り線及び前記正方形の４つの辺とで形成される大小２つの正方形のうち大正方形の前記対角線の右端の角部に形成され、前記大正方形と前記角部の２辺を共通にする右端正方形を形成する他の２辺として形成される２本の山折り線と、を有し、前記大小２つの正方形のうち大正方形の辺の長さをＡとし、前記小正方形の辺の長さをＢとし、前記右端正方形の辺の長さをＣとし、
Ｃ＝Ａ−Ｂ
の関係を有することを特徴とする折畳み書類である。
【０００７】
第二発明は、片手で書類の一端をつまんで折り畳んだり開いたりできる折畳み書類であって、正方形の書類本体と、この書類本体の左上から右下への対角線状に形成される１本の山折り線と、この対角線上の中央より左側に交点を有し、前記正方形の辺に平行で、互いに十字状に交わる２本の谷折り線と、これら２本の谷折り線及び前記正方形の４つの辺とで形成される大小２つの正方形のうち大正方形の前記対角線の右端の角部に形成され、前記大正方形と前記角部の２辺を共通にする右端正方形を形成する他の２辺として形成される２本の山折り線と、前記書類本体の前記正方形の前記対角線の左端の角部に形成され、前記正方形と前記角部の２辺を共通にする左端正方形を形成する他の２辺として形成される２本の山折り線と、書類本体の対角線の左端の点、及びこの対角線上の中央よりも右側を頂点とする正方形を想定し、この想定正方形を形成する辺のうち前記大正方形内部に位置する２本の谷折り線と、前記想定正方形を形成する辺のうち前記大正方形外部に位置する２本の山折り線と、を有し、前記大小２つの正方形のうち大正方形の辺の長さをＡとし、前記小正方形の辺の長さをＢとし、前記右端正方形の辺の長さをＣとし、前記左端正方形の辺の長さをＤとし、
Ｃ＝Ａ−Ｂ
Ｄ＝Ｂ−Ａ／２
の関係を有することを特徴とする折畳み書類である。
【０００８】
なお、これらの発明の記述において、この書類本体の対角線状に形成される１本の山折り線が、左上から右下へ形成されるものとするなど、左右上下の概念を使用した。しかし、これらの記述は便宜的なものである。すなわち、書類本体を９０度、１８０度、２７０度、と回転させ、さらには正面と背面を反転させた異なる状態にすれば、これらの左右上下の記述は表面的には当てはまらなくなるものの、書類本体の異なる状態を元に戻せば、記述は適正であることが分かり、この発明の技術的範囲から免れることはない。
【発明の効果】
【０００９】
第一発明によれば、十字状に交わる２本の谷折り線と書類本体の正方形の４つの辺とで、大小２つの正方形および２つの四角形が形成される。これらの正方形と四角形は、書類本体の左上から右下への１本の山折り線に対して、対称に配置される。
そして折り畳むには、片手で、一方の四角形の外角をつまんで、他方の四角形の外角へ重ねる動作を行なう。すると、１本の山折り線により、大小２つの正方形は各々半分に畳まれて三角形となり、他方の四角形の上に重なる。このとき大正方形が折り畳まれた三角形の端部は、本来ならば四角形の上からはみ出すが、右端正方形となって内側へ折り畳まれた小さな三角形となり、はみ出さない。
【００１０】
同時に、十字状に交わる交点を中心にして、一方の四角形が他方の四角形の上に重なる。このようにして、折り畳める。
また、開くときには逆に、片手で一方の四角形の外角をつまんで、他方の四角形の外角から引き離す動作を行なえば良い。
このようにして（１）片手で書類の一端をつまんで折り畳んだり開いたりできる。また（２）折畳んだ状態で、四角形となる。
【００１１】
第二発明によれば、十字状に交わる２本の谷折り線と書類本体の正方形の４つの辺とで、大小２つの正方形および２つの四角形が形成される。さらに想定正方形により、大正方形と２つの四角形は２つに分割される。これらの正方形と四角形は、書類本体の左上から右下への１本の山折り線に対して、対称に配置される。
【００１２】
そして折り畳むには、片手で、一方の四角形の外角をつまんで、他方の四角形の外角へ重ねる動作を行なう。すると、１本の山折り線により、大小２つの正方形は各々半分に畳まれて三角形となり、他方の四角形の上に重なる。このとき大正方形が折り畳まれた三角形の端部は、本来ならば四角形の上からはみ出すが、右端正方形となって内側へ折り畳まれた小さな三角形となり、はみ出さない。同様に、小正方形が折り畳まれた三角形の端部は、本来ならば四角形の上からはみ出すが、左端正方形となって内側へ折り畳まれた小さな三角形となり、はみ出さない。
【００１３】
同時に、十字状に交わる交点を中心にして、一方の四角形が他方の四角形の上に重なる。さらに、この重なった四角形は、想定正方形により、２つに折り畳まれ、より小さな四角形になる。このようにして、折り畳める。
また、開くときには逆に、片手で一方の四角形の外角をつまんで、他方の四角形の外角から引き離す動作を行なえば良い。
このようにして（１）片手で書類の一端をつまんで折り畳んだり開いたりできる。また（２）折畳んだ状態で、四角形となる。
【図面の簡単な説明】
【００１４】
【図１】この発明の第一実施形態に係る折畳み書類を備えた本を開いた斜視図である。
【図２】図１に使用される折畳み書類を開いた展開図である。なお、図中の折畳み線のうち点線は山折り線を、実線は谷折り線を表す。後記する図５においても同じである。
【図３】（Ａ）（Ｂ）（Ｃ）（Ｄ）（Ｅ）は、図２の折畳み書類を畳む動作を示す連続図である。
【図４】この発明の第二実施形態に係る折畳み書類を備えた本を開いた斜視図である。
【図５】図４に使用される折畳み書類を開いた展開図である。
【図６】（Ａ）（Ｂ）（Ｃ）（Ｄ）（Ｅ）（Ｆ）（Ｇ）は、図５の折畳み書類を畳む動作を示す連続図である。
【図７】従来の折畳み書類である地図を示すもので、（Ａ）は展開図、（Ｂ）は畳んだり開いたりする状態を示す図、（Ｃ）は畳んだ状態を示す図である。
【発明を実施するための形態】
【００１５】
［１］  この発明の第一実施形態を、図１〜図３に示す。
図１に示すように、例えば地図としての折畳み書類１を、本３に備えた。すなわち、折畳んだ状態で四角形である折畳み書類１を、その四角形と同じ形状のページ５を有する本３の中で、そのページ５に貼り付けた。
図２に、折畳み書類１の展開図を示す。
【００１６】
［折畳み線など］
地図である折畳み書類１の本体７は正方形８である。この書類本体７の左上から右下への対角線６状に、１本の山折り線９が形成される。この対角線上の中央より左側に交点１１を有し、正方形８の辺に平行で、互いに十字状に交わる２本の谷折り線１３が形成される。これら２本の谷折り線１３及び正方形８の４つの辺とで、大小２つの正方形１５、１６が形成される。そのうち大正方形１５の対角線の右端角部に右端正方形１７が形成される。この右端正方形１７は、大正方形１５と右端角部の２辺を共通にする。そして、この右端正方形１７を形成する他の２辺が、２本の山折り線１８として形成される。
【００１７】
このように折畳み線９，１３，１８を形成すると、十字状に交わる２本の谷折り線１３と書類本体７の正方形８の４つの辺とで、大小２つの正方形１５，１６および２つの四角形２０，２１が形成される。これらの正方形１５，１６と四角形２０，２１は、書類本体７の左上から右下への１本の山折り線９に対して、対称に配置される。また、右下には右端正方形１７が形成される。
なお、書類本体７の正方形８の右上には、この書類をつまみやすいように、別紙で小さなつまみ１９が、取付けられている。
【００１８】
［寸法］
大小２つの正方形１５，１６のうち大正方形１５の辺の長さをＡとし、小正方形１６の辺の長さをＢとし、右端正方形１７の辺の長さをＣとし、
Ｃ＝Ａ−Ｂ
の関係を有する。Ａ，Ｂ，Ｃは正であり、よってＡ＞Ｂ、Ａ＞Ｃである。
【００１９】
これらのＡ，Ｂ，Ｃは、例えば、貼り付ける本３のページ５の寸法に合わせて適宜に決められる。また、折畳み線９，１３，１８により、山折りや谷折りの作業を行なう際に、若干の誤差があるのが通常である。そのような誤差は許される。この誤差は、作業が機械織りか、手折りか、または上の材質が何かなどにより、大きく異なる。
【００２０】
「実施形態の効果」
以上の実施形態で、書類１を開いた状態（図３（Ａ））から折り畳むには、片手で、一方の四角形２０の外角に設けられたつまみ１９をつまんで（図３（Ｂ））、書類中央の上方へ大きく廻すようにして（図３（Ｃ））、他方の四角形２１の外角へ重ねる（図３（Ｄ））動作を行なう。
【００２１】
すると、図３（Ｂ）（Ｃ）に示すように、１本の山折り線９により、大小２つの正方形１５，１６は各々半分に畳まれて三角形２５，２７となり、他方の四角形２１の上に重なる。そして、これら２つの三角形２５，２７は互いに重ならない。このとき大正方形１５が折り畳まれた三角形２５の端部は、本来ならば四角形２１の上からはみ出すが、右端正方形１７となって内側へ折り畳まれた小さな三角形２９となり、はみ出さない。
【００２２】
同時に、図３（Ｂ）（Ｃ）（Ｄ）に示すように、十字状に交わる交点１１を中心にして、一方の四角形２０が他方の四角形２１の上に重なる。このようにして、小さな四角形（２１）の形に、折り畳める。
【００２３】
また、開くときには逆に、片手で一方の四角形２０の外側のつまみ１９をつまんで、書類中央の上方へ大きく廻すようにして、他方の四角形２１の外角から引き離す動作を行なえば良い。
このようにして、片手で書類１の一端のつまみ１９をつまんで、折り畳んだり開いたりできる。また、折畳んだ状態で、小さな四角形（２１）となり、本３のページ５ときれいに重なる。
また、折り畳んだり開いたり動作するときに、本３の重みで、書類１が動かず、動作が安定する。
【００２４】
さらに、折り畳んだ状態で、小さな四角形（２１）の書類の厚みは、おおかたの部分では、書類本体７の厚みの４枚分である。よって厚さが均一となる。これは、大小２つの正方形１５，１６が各々半分に畳まれて三角形２５，２７となり、四角形２１の上に重なる際に、これら２つの三角形２５，２７が互いに重ならないためである。もっとも、右端正方形１７が内側へ折り畳まれた小さな三角形２９の部分だけは、書類本体７の６枚分である。しかし、この小さな三角形の部分は、面積が小さい。よって、折り畳まれた状態の小さな四角形の各部の厚さは、おおよそ均一となる。
【００２５】
［２］  この発明の第二実施形態を、図４〜図６に示す。
図４に示すように、例えば地図としての折畳み書類１を、本３に備えた。すなわち、折畳んだ状態で四角形である折畳み書類１を、その四角形と同じ形状のページ５を有する本３の中で、そのページ５に貼り付けた。
図５に、折畳み書類１の展開図を示す。
【００２６】
［折畳み線など］
地図である折畳み書類１の本体７は正方形８である。この書類本体７の左上から右下への対角線６状に、１本の山折り線９が形成される。この対角線上の中央より左側に交点１１を有し、正方形８の辺に平行で、互いに十字状に交わる２本の谷折り線１３が形成される。これら２本の谷折り線１３及び正方形８の４つの辺とで、大小２つの正方形１５、１６が形成される。そのうち大正方形１５の対角線の右端角部に右端正方形１７が形成される。この右端正方形１７は、大正方形１５と右端角部の２辺を共通にする。そして、この右端正方形１７を形成する他の２辺が、２本の山折り線１８として形成される。
【００２７】
また、書類本体７の正方形８の対角線６の左端の角部に、左端正方形３１が形成される。この左端正方形３１は、正方形８の角部と２辺を共通にし、他の２辺として２本の山折り線３３を形成する。
さらに、書類本体７の対角線６の左端の点３５、及びこの対角線６上の中央よりも右側を頂点３７とする正方形３９を想定し、この想定正方形３９を形成する辺のうち大正方形１５の内部に位置する部分を、２本の谷折り線４１とする。また、想定正方形３９を形成する辺のうち大正方形１５の外部に位置する部分を、２本の山折り線４３とする。
【００２８】
このように折畳み線９，１３，１８，３３，４１，４３を形成すると、十字状に交わる２本の谷折り線１３と書類本体７の正方形８の４つの辺とで、大小２つの正方形１５，１６および２つの四角形２０，２１が形成される。さらに想定正方形３９により、大正方形１５と２つの四角形２０，２１は２つに分割される。これら複数の正方形と四角形は、書類本体７の左上から右下への１本の山折り線９に対して、対称に配置される。また、右下には右端正方形１７が形成される。左上には左端正方形３１が形成される。
なお、書類本体７の正方形の右上には、この書類をつまみ１９やすいように、別紙で小さなつまみ１９が、取付けられている。
【００２９】
［寸法］
大小２つの正方形のうち大正方形１５の辺の長さをＡとし、小正方形１６の辺の長さをＢとし、前記右端正方形１７の辺の長さをＣとし、前記左端正方形３１の辺の長さをＤとし、
Ｃ＝Ａ−Ｂ
Ｄ＝Ｂ−Ａ/２
の関係を有する。Ａ，Ｂ，Ｃ，Ｄは正であり、よってＡ＞Ｂ＞Ａ／２、Ａ＞Ｃである。
【００３０】
これらのＡ，Ｂ，Ｃ，Ｄは、例えば、貼り付ける本３のページ５の寸法に合わせて適宜に決められる。また、折畳み線９，１３，１８，３３，４１，４３により、山折りや谷折りの作業を行なう際に、若干の誤差があるのが通常である。そのような誤差は許される。この誤差は、作業が機械織りか、手折りか、または上の材質が何かなどにより、大きく異なる。
【００３１】
「実施形態の効果」
以上の実施形態で、書類を開いた状態（図６（Ａ））から折り畳むには、片手で、一方の四角形２０の外角に設けられたつまみ１９をつまんで（図６（Ｂ））、書類中央の上方へ大きく廻すようにして（図６（Ｃ）（Ｄ））、他方の四角形２１の外角へ重ねる（図６（Ｅ））動作を行なう。
【００３２】
すると、図６（Ｂ）（Ｃ）に示すように、１本の山折り線９により、大小２つの正方形１５，１６は各々半分に畳まれて三角形２５，２７となり、他方の四角形２１の上に重なる。そして、これら２つの三角形２５，２７は互いに重ならない。このとき大正方形１５が折り畳まれた三角形２５の端部は、本来ならば四角形２１の上からはみ出すが、右端正方形１７となって内側へ折り畳まれた小さな三角形２９となり、はみ出さない（図６（Ｄ））。
【００３３】
同様に、小正方形１６が折り畳まれた三角形２７の端部は、本来ならば四角形２１の上からはみ出すが、左端正方形３１となって内側へ折り畳まれた小さな三角形４５となり、はみ出さない（図６（Ｄ））。
【００３４】
同時に、図６（Ｂ）（Ｃ）（Ｄ）（Ｅ）に示すように、十字状に交わる交点１１を中心にして、一方の四角形２０が他方の四角形２１の上に重なる。この重なった四角形（２０）（２１）は、想定正方形３９の折畳み線４１，４３により、２つに折り畳まれ（図６（Ｅ）（Ｆ））、より小さな四角形（４７）の形になる（図６（Ｇ））。
このようにして、小さな四角形（４７）に、折り畳める。
また、開くときには逆に、片手で一方の四角形２０の外角のつまみ１９をつまんで、書類中央の上方へ大きく廻すようにして、他方の四角形の外角から引き離す動作を行なえば良い。
このようにして、片手で書類の一端のつまみ１９をつまんで、折り畳んだり開いたりできる。また、折畳んだ状態で、小さな四角形（４７）となり、本３のページ５ときれいに重なる。
また、折り畳んだり開いたり動作するときに、本３の重みで、書類が動かず、動作が安定する。
【００３５】
さらに、折り畳んだ状態で、小さな四角形の書類の厚みは、おおかたの部分では、書類本体７の８枚分である。よって厚さが均一となる。これは、大小２つの正方形１５，１６が各々半分に畳まれて三角形２５，２７となり、四角形２１の上に重なる際に、これら２つの三角形２５，２７が互いに重ならないため４枚分で済み、さらに、２つに折り畳まれ、より小さな四角形（４７）になって８枚分となるためである。
【００３６】
もっとも、右端正方形１７および左端正方形３１が内側へ折り畳まれた小さな三角形２９，４５の部分だけは、４枚分では済まず、６枚分である。しかし、この小さな三角形２９，４５の部分は、面積が小さい。また、２つに折り畳まれ、より小さな四角形（４７）になった際に、これら小さな三角形２９，４５の部分は互いにほとんど重ならない。その結果、小さな四角形（４７）になった状態で、右端正方形１７の三角形２９が重なる部分、または左端正方形３１の三角形４５が重なる部分は、６枚＋４枚で、１０枚分である。よって、折り畳まれた状態の小さな四角形の各部の厚さは、８枚分または１０枚分であり、おおよそ均一となる。
【００３７】
「他の実施形態」
以上の実施形態では、折畳み書類１は、本３に備えられた地図であったが、他の実施形態では、他のいろいろな書類用途が考えられる。例えば、名刺の裏に備えられる書類としても良い。また、地図ではなく、チラシ、案内、パンフレット、機械の取り扱い説明書など多数が考えられる。
【００３８】
以上の実施形態では、つまみ１９は、紙製であったが、他の実施形態では、布、テープ、紐、柔らかい針金、プラスティックなどとすることができる。また、形状もいろいろなものが採用でき、例えば、ミッキーマウスのようなキャラクター、手の指の形などにすることもできる。
【符号の説明】
【００３９】
１…折畳み書類、３…本、５…ページ、７…書類本体、９…１本の山折り線、１１…交点、１３…十字状に交わる２本の谷折り線、１５…大正方形、１７…右端正方形、１９…つまみ、３１…左端正方形、３７…頂点、３９…想定正方形。
【図１】
2010269551.tif 000003
【図２】
2010269551.tif 000004
【図３】
2010269551.tif 000005
【図４】
2010269551.tif 000006
【図５】
2010269551.tif 000007
【図６】
2010269551.tif 000008
【図７】
2010269551.tif 000009